(57)【特許請求の範囲】
【請求項１】
少なくとも２つのシリンダを有する内燃機関のための点火装置において、
各々のシリンダで生じた点火不良を検出する検出装置（１９）と、
各々のシリンダごとに少なくとも１つ対応づけて設けられている失火カウンタを有する計算装置（２１）とを備え、
内燃機関が１回転する間に、前記各々のシリンダの内の少なくとも１つのシリンダ内で失火が検出された場合には、該失火が検出されたシリンダに対応づけられている失火カウンタが、前記内燃機関の先行する回転において前記各々のシリンダ内で検出された失火の総数に依存して高められ、
前記計算装置（２１）は、シリンダに対する前記失火カウンタのうちの１つが調整可能な障害閾値を超えた場合には、緊急措置制御信号を緊急措置制御装置（２３）に送出し、該シリンダに対する緊急措置が開始されることを特徴とする、内燃機関のための点火装置。
【請求項２】
シリンダの噴射は緊急措置制御装置（２３）によって緊急措置制御信号に依存して止められる、請求項１記載の点火装置。
【請求項３】
前記失火カウンタは内燃機関が１回転する間に失火が検出された場合には可変の増分値だけ高められ、該増分値は先行する回転において検出された失火の総数と、一定の調整可能な初期増分ファクタとを乗算することによって算出される、請求項１または２記載の点火装置。
【請求項４】
あるシリンダに対して１回転中に失火が検出されないときには、前記計算装置（２１）は該シリンダの失火カウンタを減分させる、請求項１から３のいずれか１項記載の点火装置。
【請求項５】
前記失火カウンタは一定の調整可能な値だけ減分される、請求項４記載の点火装置。
【請求項６】
各々のシリンダに対して多数の失火カウンタが種々異なる緊急措置のために設けられていて、初期増分ファクタ及びそれぞれのカウンタ閾値は別個に調整される、請求項１から５のいずれか１項記載の点火装置。
【請求項７】
多数のシリンダを含む内燃機関における緊急措置の制御方法において、
各々のシリンダについて第１の回転中に生じた失火を検出し、
全シリンダについて該第１の回転中に検出された失火の総数に依存して可変の増分値を算出し、
相応のシリンダ内で、前記第１の回転に続く第２の回転において失火が検出されたときには、算出された増分値だけシリンダに対応づけて設けられた失火カウンタを高め、
そしてシリンダに対応づけて設けられた失火カウンタが特定の調整可能なカウンタ閾値を超えたときには、シリンダでの緊急措置過程を開始するために緊急措置制御信号を送出する、
ステップを有することを特徴とする、緊急措置の制御方法。
【請求項８】
可変の増分値は、前記第１の回転において全てのシリンダについて検出された失火の総数と一定の調整可能な初期増分値ファクタを乗算することによって算出する、請求項７記載の方法。
【請求項９】
相応のシリンダに対して失火が検出されないときには、シリンダに対応づけて設けられた失火カウンタを減分する、請求項７または８記載の方法。
【発明の詳細な説明】
【０００１】
本発明は、多数のシリンダを有し各々のシリンダに対しては固有の失火カウンタが設けられている、内燃機関のための点火制御のための点火装置及び方法に関する。
【０００２】
多数の燃焼シリンダを備えた内燃機関のための点火装置が公知であり、これらの点火装置は制御ユニットにおいて各々のシリンダに対して対応づけて設けられた失火カウンタを有する。内燃機関の燃焼シリンダは、一次及び二次巻線を有する点火コイルを介して、高電圧の誘導的な発生によって点火される。二次回路において生じた電流は点火電流センサによって検出され、シリンダ毎に点火評価装置に供給される。点火電流センサが監視しているシリンダの１つで失火を検出すると、このセンサは相応の失火カウンタ信号を評価装置に送出する。この評価装置はシリンダに対して設けられた内部の失火カウンタを、調整可能な一定のカウンタ勾配、例えば２、である事前に定められた増分値だけ高める。対応するシリンダに対して失火が検出されなければ、相応の失火カウンタが調整可能な一定の減分値、例えば１だけ減分される。
【０００３】
点火電流評価を実際に利用するにあたり、検出回路の設計仕様が大きな影響を及ぼすということが判明した。検出回路を早期に失火に応答するように設計すると、シリンダ内において所望のように行われた点火までも誤って失火として識別される、という危険が生じる。点火装置の二次回路における比較的弱い電流信号によっても検出回路においてトリガ信号が発生するよう検出回路が設計されていると、これとは反対に、例えば煤けた点火プラグに起因した実際に生じた失火は識別されない。それ自体は成功した点火が不完全と識別された時に生じる所定数の障害トリガを、該当するシリンダの失火カウンタが事前に設定された調整可能なカウンタ閾値に達したときに漸く措置が講じられるようにしてフィルタリング除去することができる。
【０００４】
もっともカウンタ閾値は高すぎてはならず、ないしは失火が識別された場合にカウンタを高めるのに用いるカウンタ勾配は低すぎてはならない。それによって十分に早い反応が、連続して多数の失火が生じた場合には、例えば触媒の保護のために保証される。失火カウンタは、この種の従前の点火装置では一定のカウンタ勾配を有しているので、カウンタ閾値の決定に際しては、多数のシリンダが同時に停止したときの触媒の保護のための即座の反応と、シリンダでの場合によっては誤って識別される個々の失火を評価する際の統計的なフィルタリング除去との間の歩み寄りを見出さなければならない。カウンタ閾値はすなわち、一方では誤った個々の失火によって超すことがないように十分に高くなくてはならず、他方では即座の反応を保証するために十分に低くなくてはならない。
【０００５】
この種の従前の点火装置は、内燃機関の異なるシリンダで、例えばシリンダ列において幾つ失火が生じているのかを顧慮しない、という欠点を有する。１回転中に多数のシリンダで同時に失火が生じれば、点火装置は特に早く反応しなければならない。公知の点火装置では、シリンダの個々の失火カウンタは他のシリンダの失火状態に依存せずに高められる。これでは多数のシリンダで失火が同時に発生した場合には、点火装置の反応があまりに遅いということになる可能性がある。
【０００６】
請求項１に記載された特徴を持つ本発明による点火装置、及びそれに応じた請求項８に記載された特徴を持つ点火制御方法はそれに対して、シリンダの失火状態を評価する際に、他のシリンダで検出された失火が一緒に考慮され、異なるシリンダで失火が同時に発生した場合には点火装置の即座の反応が保証される、という利点を有する。
【０００７】
本発明による点火装置は、各々のシリンダで生じた失火を検出するための検出装置と、各々の個々のシリンダに対してそれぞれ少なくとも１つの失火カウンタを有する計算装置を有し、失火カウンタは対応するシリンダにおいてエンジンの１回転中に失火が検出された場合には、全てのシリンダの先行するエンジンの回転において検出された失火の総数に依存して高められる。
【０００８】
本発明の基本思想は以下のことにある。すなわち、シリンダの失火カウンタはもはや従前のように一定の増分値を用いて失火が識別された場合に高められるのではなく、可変の増分値を用いて高められる。この可変の増分値は、先行するエンジン回転時により多くのシリンダが失火を有していたならば有していたほど高められる。
【０００９】
従属請求項においては、請求項１記載の点火装置及び請求項８記載の点火制御方法の有利な実施形態及び改良点を述べている。
【００１０】
有利な実施形態によれば、計算装置はカウンタが調整可能なカウンタ閾値を超えた場合には、そのシリンダに対する失火カウンタによって緊急措置信号が緊急措置制御装置に送出され急措置が開始される。
【００１１】
別の有利な実施形態によれば、緊急措置過程は相応のシリンダの噴射が止められるということである。
【００１２】
別の有利な実施形態によれば、失火カウンタは１回転している間に失火が検出された場合には可変の増分値だけ高められ、この増分値は先行する回転において検出された全てのシリンダ内での失火と一定の調整可能な初期増分ファクタを乗算することによって算出される。
【００１３】
別の有利な実施形態によれば、検出回路がこれらのシリンダについて失火を検出しないときには、計算装置はシリンダの失火カウンタを減分する。
【００１４】
別の有利な実施形態によれば、検出回路によってこれらのシリンダについて失火が検出されないときには、失火カウンタは一定の調整可能な値だけ減分される。
【００１５】
別の有利な実施形態によれば、各々のシリンダに対する多数の種々異なる失火カウンタが種々の緊急措置に対して設けられていて、このカウンタはそれぞれ別個に調整可能な初期増分ファクタ及びカウンタ閾値を有する。
【００１６】
これらは、異なる失火カウンタの値に依存して異なる閾値では異なる措置を実行することができる、という利点を提供する。
【００１７】
図面の実施例に基づき、本発明による点火装置を以下詳細に説明する。
【００１８】
図面に図示されていない燃焼シリンダは、それぞれ点火プラグ１、２によって点火される。点火プラグ１、２は線路３、４を介して、点火コイル７、８に所属する二次巻線５、６に接続されている。点火コイル７、８は付属する二次巻線５、６に誘導的に結合された一次巻線９、１０をそれぞれ有する。二次巻線５、６は線路１１、１２を介してノード１３に接続されている。点火コイル７、８の一次巻線９、１０は線路１４、１５を介してノード１６に接続されている。ノード１６には線路１７を介してバッテリ電圧ＵＢが印加される。点火装置の二次回路におけるノード１３は電流検出線路１８を介して検出装置１９に接続されている。検出装置１９は少なくとも１つの失火カウンタ信号線路２０を介して計算装置２１に接続されていて、この計算装置２１は内燃機関の各々のシリンダに対してそれぞれ少なくとも１つの失火カウンタＺ１、Ｚ２．．．、Ｚｎを有する。計算装置２１は少なくとも１つの緊急措置制御線路２２を介して緊急措置制御装置２３に接続されている。計算装置２１は制御線路２４、２５を介して切り替段２６、２７を制御し、この切り替段は線路２８、２９を介して点火コイル７、８の一次巻線９、１０に接続されている。切り替段２６、２７は例えばトランジスタである。
【００１９】
燃焼シリンダ内で点火がおこなわれると、付属する点火プラグ１、２を介して点火電流が流れ、この点火電流は点火電流検出線路１８を介して検出装置１９によって点火電流センサを用いて検出される。失火が生じると、付属する点火プラグには十分に大きな電流が流れず、その結果検出装置１９はシリンダ毎に特定のシリンダで失火があるかどうかを識別できる。失火が生じていることを検出装置が識別すれば、この装置は失火識別信号を線路２０を介して計算装置２１に送出する。計算装置２１が線路２０を介して相応のシリンダに対する失火検出信号を受信すると、この装置は相応のシリンダに対応づけて設けられた内部の失火カウンタを可変の増分値だけ高める。この際増分値は一定ではなく、内燃機関の先行する回転における全てのシリンダに対して検出された失火の総数に依存する。それに加え計算装置２１は内部にメモリ装置２４を有し、そこには最後のエンジン回転中に検出された失火の数が記憶されている。
【００２０】
本発明による点火装置の有利な実施形態では、可変の増分値は先行するエンジン回転における失火で記憶された総数と一定の調整可能な初期増分ファクタを乗算することによって算出される。初期増分ファクタを例えば基準設定において識別された失火につき２とし、最初のエンジン１回転中に検出装置１９によって３つの異なるシリンダで３つの失火が検出されると、増分値は６に高まる。シリンダの１つで次のエンジン回転において新たに失火が識別されると、シリンダの内部の失火カウンタはこの高められた増分値を用いて増分される。
【００２１】
このような評価を用いてエンジン回転毎の失火の数が一緒に評価される。それによって例えば１回転毎の多数の失火は、異なる回転を介して分けられている失火よりも有害であるということを一緒に考察する。例えばエンジンのシリンダ列全て、例えば６つのシリンダが停止したら、初期増分ファクタが２の場合には可変の増分値は明らかに例えば１２に高まり、その結果続けて僅かな失火が識別されただけで既に事前にプログラミングされたカウンタ閾値になり、相応の緊急措置を緊急措置制御装置２３によって開始する。このことによって点火装置の反応速度は異なるシリンダで同時に多数の失火が生じた場合には明らかに高まり、その結果殊に早い措置を触媒の保護のために開始することができる。計算装置２１の内部の失火カウンタＺｉが事前にプログラミングされたカウンタ閾値になれば、計算装置２１は緊急措置制御線路を介して緊急措置制御信号を緊急措置制御装置２３に発し、この装置は相応の緊急措置を開始する。この緊急措置は例えば該当するシリンダに対する噴射を止めるということである。
【００２２】
本発明による点火装置の有利な実施形態では各々のシリンダに対して内部に多数の失火カウンタが種々異なる緊急措置のために設けられている。その際、異なる失火カウンタの各々に対するそれぞれの初期増分ファクタ及びカウンタ閾値は別個に調整することができる。これによって異なる措置を先行する回転において算出された失火に依存して実行することが可能である。
【００２３】
本発明による点火装置の別の有利な実施形態では、計算装置２１の内部のメモリ装置２４において先行する複数の回転の失火が記憶され、その結果それらの失火を計算装置２１によって評価できる。このことによってシリンダで周期的に生じる失火を識別しそして相応の処置を開始することが可能である。
【００２４】
メモリ装置２４が相応に大きく定められていれば、計算装置２１はシリンダの失火状態を比較的長い時間にわたり統計的に評価することができ、そして相応の処置を講じることができる。シリンダでの失火の統計的な評価から点火プラグの消耗が増大していることが明らかになれば、例えば計算装置は警告信号を送出することができる。
【図面の簡単な説明】
【図１】  多数の燃焼シリンダを有した、内燃機関のための本発明による点火装置の図である。図面には２つの燃焼シリンダのための点火装置のみが示されているが、しかしながら燃焼シリンダの数は任意に増すことができる。
【図１】
0004469505.tif 000002